(57)【要約】【課題】電源コードを収納するに際し煩雑な手間を必要としない電気機器を実現する。【解決手段】本発明の布団乾燥機（１）は、筐体（２）と、筐体（２）における内方へ窪んだ凹部を有する取手部（１１）と、筐体（２）内の送風ファン（４）およびヒータ（５）と電気的に接続された電源コード（１０）と、を備え、取手部（１１）は、凹部内に、電源コード（１０）を収納する収納部（１１Ｂ）を有する。【選択図】図１
2020171473.tif 000002
【特許請求の範囲】
【請求項１】
筐体と、
前記筐体における内方へ窪んだ凹部を有する取手部と、
前記筐体内の駆動源と電気的に接続された電源コードと、を備え、
前記取手部は、前記凹部内に、前記電源コードを収納する収納空間を有することを特徴とする電気機器。
【請求項２】
前記電源コードは、前記凹部から外部へ伸びていることを特徴とする請求項１に記載の電気機器。
【請求項３】
前記取手部には、前記電源コードを前記収納空間内に保持する保持部が設けられていることを特徴とする請求項１または２に記載の電気機器。
【請求項４】
前記取手部は、使用者が電気機器を把持するための把持部を有し、
前記収納空間は、前記把持部よりも下方または内方に設けられていることを特徴とする請求項１〜３の何れか１項に記載の電気機器。
【請求項５】
前記収納空間を形成する壁部が弾性材料により構成されていることを特徴とする請求項１〜４の何れか１項に記載の電気機器。
【発明の詳細な説明】
【技術分野】
【０００１】
本発明は、取手部を有する電気機器に関する。
【背景技術】
【０００２】
布団乾燥機などの電気機器は、空気の流れを導くためのホースを備えている。電気機器を使用しないときには、ホースを必要としないので、ホースをコンパクトにまとめることが好ましい。また、布団乾燥機のように特定のシーズンにしか使用されない電気機器は、使用されない期間に押し入れなどの収納スペースに収納されることが多い。
【０００３】
一般には、収納スペースが限られていることから、電気機器が収納スペースに占める容積をできるだけ小さくすることが好ましい。そのため、特許文献１に開示されているように、電源コードを収納する容積を小さくするような構造の工夫がなされている。
【先行技術文献】
【特許文献】
【０００４】
【特許文献１】特開２０１７−２３５３０号公報（２０１７年  ２月  ２日公開）
【発明の概要】
【発明が解決しようとする課題】
【０００５】
しかしながら、特許文献１に開示された電源コードの収納構造では、布団乾燥機におけるフィルターカバーの奥の内部に電源コードを収納する収納空間が設けられている。そして、フィルターカバーに電源コードが通過する切欠き部が設けられている。それゆえ、電源コードを収納するに際し、フィルターカバーの開閉動作が必要となり、電源コードの収納作業に煩雑な手間が必要となる。
【０００６】
本発明の一態様は、電源コードを収納するに際し煩雑な手間を必要としない電気機器を実現することを目的とする。
【課題を解決するための手段】
【０００７】
上記の課題を解決するために、本発明の一態様に係る電気機器は、筐体と、前記筐体における内方へ窪んだ凹部を有する取手部と、前記筐体内の駆動源と電気的に接続された電源コードと、を備え、前記取手部は、前記凹部内に、前記電源コードを収納する収納空間を有することを特徴としている。
【発明の効果】
【０００８】
本発明の一態様によれば、電源コードを収納するに際し煩雑な手間を必要としない電気機器を実現できる。
【図面の簡単な説明】
【０００９】
【図１】本発明の実施形態に係る布団乾燥機の外観構成を示す側面図であり、（ａ）は、収納蓋がある状態を示し、（ｂ）は、収納蓋がない状態を示す。
【図２】本発明の実施形態に係る布団乾燥機の内部構造を示す縦断面図であり、（ａ）は、収納蓋がある状態を示し、（ｂ）は、収納蓋がない状態を示す。
【図３】図１の（ａ）のＡ−Ａ線断面図である。
【発明を実施するための形態】
【００１０】
以下、本発明の一実施形態について、図１〜図３に基づいて説明すれば、以下の通りである。図１は、本実施形態に係る布団乾燥機１の外観構成を示す側面図であり、図１の（ａ）は、収納蓋１２がある状態を示し、図１の（ｂ）は、収納蓋１２がない状態を示す。また、図２は、本実施形態に係る布団乾燥機１の内部構造を示す縦断面図であり、図２の（ａ）は、収納蓋１２がある状態を示し、図２の（ｂ）は、収納蓋１２がない状態を示す。図３は、図１の（ａ）のＡ−Ａ線断面図である。
【００１１】
図１の（ａ）および（ｂ）に示されるように、本実施形態に係る布団乾燥機１（電気機器）は、筐体２と、蓋３とで箱状の外観構造を形成している。また、筐体２は、取手部１１を有している。
【００１２】
また、図２の（ａ）および（ｂ）に示されるように、布団乾燥機１は、送風ファン４と、ヒータ５と、送風ダクト６と、接続部７と、ホース８と、ノズル９と、電源コード１０と、を備えている。布団乾燥機１は、図１〜図３に示されるような運転が行われない収納状態では、ホース８およびノズル９が筐体２内に収納されている。一方、運転状態では、ホース８が伸長して、ノズル９が筐体２外部へ引き出されるように構成されている。
【００１３】
送風ファン４（駆動源）は、筐体２内に配置されており、筐体２の側面に設けられた空気の吸込口（図示せず）から空気を吸い込んで排出することにより、空気の流れを発生する。ヒータ５（駆動源）は、送風ファン４から送られてきた空気を温めるために、送風ファン４の空気の吹き出し口に配置されている。布団乾燥機１は、運転状態では、送風ファン４およびヒータ５が駆動源となって、対象物に対して温風を吹き付ける構成となっている。
【００１４】
送風ダクト６は、ヒータ５を経た空気を上方に導くように、ヒータ５から上方に向く風路を形成している。また、接続部７は、屈曲した円筒形状であり、送風ダクト６を通過する空気をホース８へ導く風路を形成する。ホース８は、円筒形状に形成されており、接続部７を通過する空気をノズル９へ導く風路を形成する。
【００１５】
ノズル９は、ホース８内を送出される空気を吹き出す部材である。ノズル９の空気導入口は、ホース８の開口端部に接続可能な形状に形成されている。また、ノズル９は、空気の吹き出し口が幅の広い扁平状に形成されている。ノズル９は、このような構造により、吹き出す空気の流速を速めるとともに、空気を扇状の広い範囲に吹き出すことができる。
【００１６】
電源コード１０は、送風ファン４およびヒータ５と電気的に接続するコードである。
【００１７】
ここで、本実施形態に係る布団乾燥機１では、取手部１１は、筐体２における内方へ窪んだ凹部を有する。電源コード１０は、この凹部から外部へ伸びている。そして、取手部１１は、この凹部内において、把持部１１Ａと、収納部１１Ｂと、収納蓋１２と、を有する。把持部１１Ａは、使用者が布団乾燥機１を把持するために設けられており、取手部１１が構成する凹部の上側に配されている。例えば、把持部１１Ａは、使用者の指が引っ掛かるように構成されている。また、収納部１１Ｂは、電源コード１０を収容する収容空間を構成しており、取手部１１の凹部内で、隔壁により区分分けされている。また、収納部１１Ｂは、把持部１１Ａの下方で、かつ、内方（奥側）に設けられている。
【００１８】
また、収納蓋１２（保持部）は、収納部１１Ｂの収納空間内に電源コード１０を保持する保持部として設けられ、収納部１１Ｂの収納空間を閉塞する蓋である。この収納蓋１２により、電源コード１０は、収納部１１Ｂ内に保持される。このため、例えば布団乾燥機１を運ぶときに、電源コード１０が収納部１１Ｂから飛び出すのを防止することができる。なお、本実施形態に係る布団乾燥機１の前記保持部は、収納部１１Ｂの収納空間を完全に覆う収納蓋１２を備えた構成に限定されず、収納部１１Ｂの収納空間内に電源コード１０を保持できればよい。例えば、前記保持部は、収納部１１Ｂの下面から上方へ伸びる突起部であってもよい。このような突起部であっても、布団乾燥機１を傾けたとき電源コード１０が収納部１１Ｂの壁部または突起部に引っ掛かるので、電源コード１０が収納部１１Ｂから飛び出すのを防止できる。また、収納蓋１２は、収納部１１Ｂの収納空間の一部を閉塞した構成であってもよい。
【００１９】
本実施形態に係る布団乾燥機１は、筐体２の内方へ窪んだ凹部としての取手部１１内に、収納部１１Ｂとして電源コード１０を収容する収容空間が設けられた構成となっている。このため、フィルターカバーの開閉動作を必要とすることなく、電源コード１０の取り出しおよび収納が可能となる。それゆえ、電源コード１０を収納するに際し煩雑な手間を必要としない布団乾燥機１を実現できる。
【００２０】
次に、電源コード１０の取り出し、および収納について説明する。
【００２１】
まず、使用者は、布団乾燥機１を運転するに際し、取手部１１の把持部１１Ａに手を掛け、布団乾燥機１を布団近くに運ぶ。そして、把持部１１Ａに掛けた手をそのまま、把持部１１Ａ近傍に位置する収納蓋１２へ掛け、収納蓋１２を開け、収納部１１Ｂに収納されている電源コード１０を取出す。
【００２２】
このとき、収納部１１Ｂが取手部１１内に位置し、把持部１１Ａと収納部１１Ｂとが近いため、使用者は、布団乾燥機１を運んだ後、把持部１１Ａに掛けた手をそのまま収納部１１Ｂへアクセスし電源コード１０を取出すことになる。このため、布団乾燥機１を運ぶ動作から電源コード１０の取り出し動作への移行がスムーズになる。
【００２３】
その後、電源コード１０を接続し、布団乾燥機１を運転する。
【００２４】
そして、布団乾燥機１の運転が完了し、電源コード１０を収納する際には、使用者は、電源コード１０をある程度まとめて、収納部１１Ｂに電源コード１０を収納し、収納蓋１２で閉塞する。そして、取手部１１の把持部１１Ａに手を掛け、布団乾燥機１を所定の位置に収納する。このとき、使用者は、収納蓋１２で閉塞した手をそのまま把持部１１Ａへアクセスして布団乾燥機１を運ぶことになる。このため、電源コード１０の収納動作から布団乾燥機１を運ぶ動作への移行がスムーズになる。
【００２５】
このように、本実施形態に係る布団乾燥機１によれば、布団乾燥機１を運ぶ動作と電源コード１０の取り出しおよび収納動作との間をスムーズに移行することができ、布団乾燥機１の利便性が向上する。
【００２６】
また、収納部１１Ｂは、把持部１１Ａよりも下方で、かつ、内方に配置されているので、電源コード１０を収納するに際し、電源コード１０が把持部１１Ａに当らない。それゆえ、把持部１１Ａを把持する際に、電源コード１０が邪魔しない。
【００２７】
なお、図１〜図３に示された構成では、収納部１１Ｂは、把持部１１Ａよりも下方で、かつ、内方（奥側）に配置されていた。しかし、収納部１１Ｂは、取手部１１の凹部内に配置されていれば、位置は限定されない。布団乾燥機１を運ぶ動作と電源コード１０の取り出しおよび収納動作との間をスムーズに移行するという点では、好ましくは、収納部１１Ｂは、把持部１１Ａの下方で、または、内方（奥側）に設けられている。
【００２８】
例えば、収納部１１Ｂは、把持部１１Ａと同じ高さで、かつ把持部１１Ａの奥側、すなわち、把持部１１Ａよりも内方に設けられていてもよい。このような構成であっても、使用者は、把持部１１Ａに掛けた手をそのまま、把持部１１Ａの奥にある収納部１１Ｂへアクセスし電源コード１０を取出すことができる。また、収納部１１Ｂにある手をそのまま、手前にある把持部１１Ａへアクセスして布団乾燥機１を運ぶことができる。
【００２９】
また、収納部１１Ｂは、把持部１１Ａと同じ奥行きで、かつ把持部１１Ａの下方に設けられていてもよい。このような構成であっても、布団乾燥機１を運ぶ動作と電源コード１０の取り出しおよび収納動作との間をスムーズに移行できる。
【００３０】
また、電源コード１０の収納空間を構成する収納部１１Ｂの壁部は、弾性材料で構成されていることが好ましい。これにより、電源コード１０を収納部１１Ｂの寸法よりも大きくまとめても、弾性材料の変形により、収納部１１Ｂとまとめた電源コード１０との寸法差がある程度吸収される。それゆえ、収納部１１Ｂの寸法に合わせて正確に電源コード１０をまとめる必要がなく、短時間で容易にまとめて電源コード１０を収納部１１Ｂに収容できる。
【００３１】
図１〜図３では、電気機器として布団乾燥機１を例に挙げて構成が示されていた。しかし、本実施形態に係る収納部１１Ｂを備えた電気機器は、布団乾燥機１に限定されず、筐体における内方に窪んだ凹部を有する取手部を備え、この取手部を介して使用者が持ち運びできる電気機器に適用し得る。
【００３２】
〔まとめ〕
本発明の態様１に係る電気機器（布団乾燥機１）は、筐体２と、前記筐体２における内方へ窪んだ凹部を有する取手部１１と、前記筐体２内の駆動源（送風ファン４、ヒータ５）と電気的に接続された電源コード１０と、を備え、前記取手部１１は、前記凹部内に、前記電源コード１０を収納する収納空間（収納部１１Ｂ）を有する構成である。
【００３３】
上記の構成によれば、筐体２の内方へ窪んだ凹部としての取手部１１内に、収納部１１Ｂとして電源コード１０を収容する収容空間が設けられた構成となっている。このため、フィルターカバーの開閉動作を必要とすることなく、電源コード１０の取り出しおよび収納が可能となる。それゆえ、上記の構成によれば、電源コード１０を収納するに際し煩雑な手間を必要としない。
【００３４】
本発明の態様２に係る電気機器（布団乾燥機１）は、態様１において、前記電源コード１０は、前記凹部から外部へ伸びている構成であってもよい。
【００３５】
これにより、ユーザが前記取手部に手を掛けたとき、前記凹部を通じて前記電源コード１０を取り出すことが可能となる。
【００３６】
本発明の態様３に係る電気機器（布団乾燥機１）は、態様１または２において、前記取手部１１には、前記電源コード１０を前記収納空間（収納部１１Ｂ）内に保持する保持部が設けられている構成であってもよい。
【００３７】
上記の構成によれば、例えば電気機器を運ぶときに、電源コード１０が前記収納空間から飛び出すのを防止することができる。
【００３８】
本発明の態様４に係る電気機器（布団乾燥機１）は、上記態様１から３のいずれかにおいて、前記取手部１１は、使用者が電気機器を把持するための把持部１１Ａを有し、前記収納空間（収納部１１Ｂ）は、前記把持部１１Ａよりも下方または内方に設けられている構成であってもよい。
【００３９】
上記の構成によれば、電気機器を運ぶ動作と電源コード１０の取り出しおよび収納動作との間をスムーズに移行することができ、電気機器の利便性が向上する。
【００４０】
本発明の態様５に係る電気機器（布団乾燥機１）は、上記態様１から４のいずれかにおいて、前記収納空間（収納部１１Ｂ）を形成する壁部が弾性材料により構成されている構成であってもよい。
【００４１】
上記の構成によれば、前記収納空間の寸法に合わせて正確に電源コード１０をまとめる必要がなく、短時間で容易にまとめて電源コード１０を前記収納空間に収容できる。
【００４２】
本発明は上述した実施形態に限定されるものではなく、請求項に示した範囲で種々の変更が可能であり、実施形態にそれぞれ開示された技術的手段を適宜組み合わせて得られる実施形態についても本発明の技術的範囲に含まれる。さらに、実施形態にそれぞれ開示された技術的手段を組み合わせることにより、新しい技術的特徴を形成することができる。
【符号の説明】
【００４３】
１    布団乾燥機（電気機器）
２    筐体
４    送風ファン（駆動源）
５    ヒータ（駆動源）
１０    電源コード
１１    取手部
１１Ａ  把持部
１１Ｂ  収納部
１２    収納蓋（保持部）
【図１】
2020171473.tif 000003
【図２】
2020171473.tif 000004
【図３】
2020171473.tif 000005